(57)【特許請求の範囲】
【請求項１】
運転者によって操舵部（１５）に入力される操舵操作を、当該運転者に代わって実施可能な自動運転機能を備える車両（Ａ）に搭載され、操舵操作の制御権について前記自動運転機能から前記運転者への移譲を制御する移譲制御装置であって、
前記操舵部を前記運転者へ向けて移動させた後、前記運転者による前記操舵部の把持に基づき、前記操舵部を引き戻す意識喚起シーケンスを実行する意識喚起部（６１）と、
前記意識喚起シーケンスの後、且つ前記運転者に前記制御権が移譲される前に、前記操舵部と前記車両の操向とが切り離された状態で、前記運転者による模擬的な操舵操作を受け付ける感覚回復シーケンスを実行する感覚回復部（６２）と、
を備える移譲制御装置。
【請求項２】
前記感覚回復部による前記感覚回復シーケンスにおいて、前記操舵部への操舵操作の入力に対応した前記車両の予測走行軌跡（５１）を表示させる表示制御部（６３，３６３）、をさらに備える請求項１に記載の移譲制御装置。
【請求項３】
前記表示制御部は、前記操舵部へ入力された操舵操作により予め設定された所定秒数の経過後に前記車両が到達する位置を、前記予測走行軌跡の端点によって提示させる請求項２に記載の移譲制御装置。
【請求項４】
ヘッドアップディスプレイ装置と共に前記車両に搭載される移譲制御装置であって、
前記表示制御部は、前記ヘッドアップディスプレイ装置（４０）を制御することにより、前記予測走行軌跡を前記車両の前景に重ねた虚像（５０）により表示させる請求項２又は３に記載の移譲制御装置。
【請求項５】
前記表示制御部は、前記感覚回復シーケンスにおいて、前記運転者による操舵操作の操作量が運転感覚の未回復を示す閾値を超えている場合に、表示によって過大な操舵操作を注意喚起する請求項２〜４のいずれか一項に記載の移譲制御装置。
【請求項６】
前記感覚回復部は、前記運転者の運転姿勢が崩れているか否かを判定し、前記運転者の運転姿勢が崩れていない場合に、前記感覚回復シーケンスを開始する請求項１〜５のいずれか一項に記載の移譲制御装置。
【請求項７】
前記感覚回復部は、前記感覚回復シーケンスにおいて、模擬的な操舵操作を受け付ける前に、前記運転者によって把持された前記操舵部を操舵操作の入力方向に沿って変位させる請求項１〜６のいずれか一項に記載の移譲制御装置。
【請求項８】
前記感覚回復部は、前記感覚回復シーケンスにおいて、前記運転者による操舵操作の操作量が運転感覚の未回復を示す閾値を超えている場合に、操舵操作に抵抗する操舵反力を増大させる請求項１〜７のいずれか一項に記載の移譲制御装置。
【発明の詳細な説明】
【技術分野】
【０００１】
この明細書による開示は、車両の操舵操作の制御権について、自動運転機能から運転者への移譲を制御する移譲制御装置に関する。
【背景技術】
【０００２】
近年、例えばレーンキープ機能のように、運転者に代わって操舵操作を実施可能な自動運転機能を備えた車両が普及しつつある。このような車両では、自動運転機能から運転者へと制御権の移譲が行われる。例えば特許文献１に開示の自動運転制御装置では、運転者に操舵操作の制御権が移譲される前に、操舵部と車両の操向とが切り離された状態で、運転者による模擬的な操舵操作を受け付ける期間が設けられている。こうした操舵操作を行わせることにより、特許文献１の自動運転制御装置は、運転車の感覚の回復を図っている。
【先行技術文献】
【特許文献】
【０００３】
【特許文献１】特開２００６−２３４４４２号公報
【発明の概要】
【発明が解決しようとする課題】
【０００４】
しかし、特許文献１の自動運転制御装置は、模擬的な操舵操作を始める前に運転者の意識を運転操作に向けさせる手立てを何ら備えていない。故に運転者は、車両側から提示された模擬的な操舵操作を、運転行為に対する意識の低い状態で行ってしまう。その結果、運転者は、操舵操作を模擬的に行っても、実際の操舵操作の感覚を取り戻せていないまま、自動運転機能から操舵操作の制御権を受け取ってしまい得た。
【０００５】
本開示は、このような問題に鑑みてなされたものであり、その目的は、操舵操作を行う感覚を運転者が取り戻した状態で、操舵操作の制御権を運転者へ移譲させることが可能な移譲制御装置を提供することにある。
【課題を解決するための手段】
【０００６】
上記目的を達成するため、開示された第一の態様は、運転者によって操舵部（１５）に入力される操舵操作を、当該運転者に代わって実施可能な自動運転機能を備える車両（Ａ）に搭載され、操舵操作の制御権について自動運転機能から運転者への移譲を制御する移譲制御装置であって、操舵部を運転者へ向けて移動させた後、運転者による操舵部の把持に基づき、操舵部を引き戻す意識喚起シーケンスを実行する意識喚起部（６１）と、意識喚起シーケンスの後、且つ運転者に制御権が移譲される前に、操舵部と車両の操向とが切り離された状態で、運転者による模擬的な操舵操作を受け付ける感覚回復シーケンスを実行する感覚回復部（６２）と、を備えている。
【０００７】
この態様による意識喚起シーケンスでは、操舵操作の入力される操舵部が運転者へ向けて移動された後、運転者による操舵部の把持に基づき、引き戻される。こうした操舵部の動きは、例えば相手に近づいて手を引くような人同士のコミュニケーション動作のアナロジーとして、運転者の注意を車両へ向けさせることができ、運転者の運転行為に対する意識を高い確実性をもって喚起し得る。故に、意識喚起シーケンスの後に行われる感覚回復シーケンスにて受け付けられる模擬的な操舵操作を、運転者は、運転行為に対して高い意識を持った状態で行うようになる。その結果、車両の走行環境を捉えて操舵操作を行う感覚を運転者が取り戻した状態で、移譲制御装置は、自動運転機能から運転者へと、操舵操作の制御権を移譲させることが可能になる。
【０００８】
尚、上記括弧内の参照番号は、後述する実施形態における具体的な構成との対応関係の一例を示すものにすぎず、技術的範囲を何ら制限するものではない。
【図面の簡単な説明】
【０００９】
【図１】車両に搭載された自動運転に関連する構成の全体像を示すブロック図である。
【図２】自車両における運転席周辺のレイアウトを示す図である。
【図３】意識喚起シーケンスにおけるステアリングホイールの動きを、Ａ〜Ｄに順に示す図である。
【図４】感覚回復シーケンスにおいて表示される虚像の詳細を示す図である。
【図５】感覚回復シーケンスにて、注意閾値以下の操舵操作が入力された場合の表示態様を示す図である。
【図６】感覚回復シーケンスにて、注意閾値を超える操舵操作が入力された場合の表示態様を示す図である。
【図７】感覚回復シーケンスにて、警告閾値を超える操舵操作が入力された場合の表示態様を示す図である。
【図８】感覚回復シーケンスを実現するための感覚回復処理の詳細を示すフローチャートである。
【図９】操舵操作の制御権を運転者に移譲させる移譲制御処理の詳細を、図１０と共に示すフローチャートである。
【図１０】操舵操作の制御権を運転者に移譲させる移譲制御処理の詳細を、図９と共に示すフローチャートである。
【図１１】第二実施形態において、操舵操作の制御権を運転者に移譲させる移譲制御処理の詳細を、図１２と共に示すフローチャートである。
【図１２】操舵操作の制御権を運転者に移譲させる移譲制御処理の詳細を、図１１と共に示すフローチャートである。
【図１３】図１の変形例を示すブロック図である。
【発明を実施するための形態】
【００１０】
以下、本開示の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１１】
（第一実施形態）
図１及び図２に示す本開示の第一実施形態によるＨＣＵ（HMI（Human Machine Interface）Control Unit）１００は、移譲制御装置の機能を備えた電子制御ユニットとして車両Ａに搭載されている。ＨＣＵ１００は、車両Ａに搭載された車両制御装置２０、ドライバステータスモニタ１１、移譲実行スイッチ１２、ステアリングユニット３０、ヘッドアップディスプレイ装置４０等と電気的に接続されている。
【００１２】
車両制御装置２０は、プロセッサ、ＲＡＭ、書き換え可能な不揮発性の記憶媒体、情報の入出力を行う入出力インターフェース、及びこれらを接続するバス等によって構成された電子制御ユニットである。車両制御装置２０は、車両Ａのパワートレインを制御する機能、車両Ａのブレーキシステムを制御する機能、及びステアリングユニット３０を制御する機能等を備えている。
【００１３】
車両制御装置２０は、車両Ａに搭載された多数のセンサと直接的又は間接的に接続されている。車両制御装置２０は、各センサから出力される検出信号を用いて、パワートレイン、ブレーキシステム、及びステアリングユニット３０等を制御する。また車両制御装置２０は、取得した各センサによる検出信号を、車両情報としてＨＣＵ１００へ向けて出力可能である。例えば車両制御装置２０は、車両Ａの現在の走行速度をＨＣＵ１００に取得させることができる。
【００１４】
車両制御装置２０は、記憶媒体に記憶された自動運転プログラムをプロセッサによって実行することにより、自動運転機能部２１を機能ブロックとして構築する。自動運転機能部２１は、運転者によって各ペダルに入力される加減速操作、及び運転者によってステアリングホイール１５に入力される操舵操作を、運転者に代わって実施可能である。自動運転機能部２１により、全車速ＡＣＣ（Adaptive Cruise Control）、レーントレースコントロール、自動レーンチェンジ、及び自動合流等の自動運転機能又は高度運転支援機能が実現される。
【００１５】
ドライバステータスモニタ（Driver Status Monitor（ＤＳＭ））１１は、近赤外光源及び近赤外カメラと、これらを制御する制御ユニット等とによって構成されている。ＤＳＭ１１は、近赤外カメラを運転席１７側に向けた姿勢にて、インスツルメントパネル１９の上面に配置されている。ＤＳＭ１１は、近赤外光源によって近赤外光を照射された運転者の顔を、近赤外カメラによって撮影する。制御ユニットは、例えば運転者の顔の位置、顔の向き、及び目の開き具合等を、近赤外カメラによる撮像画像から解析する。制御ユニットは、解析結果に基づき、運転者が正しい運転姿勢を取れているか否かを判定する。ＤＳＭ１１は、運転者の運転姿勢に係る情報を、ＨＣＵ１００へ出力可能である。
【００１６】
移譲実行スイッチ１２は、自動運転機能部２１による自動運転機能と運転者との間における加減速操作及び操舵操作の制御権の移譲を確定させるための入力部である。移譲実行スイッチ１２への押圧操作の入力により、運転者は、自動運転機能からの制御権の移譲について、確認及び承認を行う。移譲実行スイッチ１２は、運転者による押圧操作が容易な位置、例えばステアリングホイール１５のスポーク部分、或いはインスツルメントパネル１９のセンタークラスタ又はセンターコンソール等に設置されている。
【００１７】
ステアリングユニット３０は、車両制御装置２０及びＨＣＵ１００から取得するステアリング制御情報に基づき、車両Ａの操向及びステアリングホイール１５の動作を制御する制御機構である。ステアリングユニット３０は、引き込み動作アクチュエータ３１、操舵アクチュエータ３２、操向連動切替部３３、把持検知部３４、及び操舵角検出部３５等によって構成されている。
【００１８】
引き込み動作アクチュエータ３１は、ステアリングホイール１５の位置を車両Ａの前後方向に沿ってスライド変位させる駆動部である。引き込み動作アクチュエータ３１は、ステアリングシャフトに設けられたテレスコピック機構と一体的に設けられている。引き込み動作アクチュエータ３１は、ＨＣＵ１００から取得するステアリング制御情報に基づき、テレスコピック機構によってステアリングシャフトを伸縮させることで、運転席１７からステアリングホイール１５までの距離を増減させることができる。
【００１９】
操舵アクチュエータ３２は、ステアリングホイール１５を回転可能に支持するステアリングシャフトにトルクを印加する駆動部である。操舵アクチュエータ３２は、ステアリングシャフトに印加するトルクの方向及び大きさを変更することにより、ステアリングホイール１５を通じて運転者が抵抗として感じる操舵反力を増減させる。加えて操舵アクチュエータ３２は、ステアリングシャフトに印加するトルクによって擬似的な操舵反力を生じさせる。
【００２０】
操向連動切替部３３は、ステアリングホイール１５への操舵操作の入力によって車両Ａの操舵輪（前輪）が転舵される連動状態と、ステアリングホイール１５が車両Ａの操向から切り離された非連動状態とを切り替える機構部である。操向連動切替部３３は、自動運転機能部２１によって操舵操作が代行されている場合に、ステアリングホイール１５を非連動状態へと切り替える。
【００２１】
把持検知部３４は、運転者がステアリングホイール１５のリム部分を正しく握っているか否かを検知する。把持検知部３４は、例えばステアリングホイール１５のリム部分に埋設された静電容量式センサ又は圧力センサである。尚、把持検知部３４は、運転者によってステアリングシャフトに印加される操舵トルクを検知するセンサであってもよい。運転者がステアリングホイール１５を把持しているか否かの検知結果は、ＨＣＵ１００へ出力される。
【００２２】
操舵角検出部３５は、ステアリングホイール１５の操舵角を検出する。操舵角検出部３５による検出結果は、ＨＣＵ１００及び車両制御装置２０へ出力される。
【００２３】
ヘッドアップディスプレイ（Head-Up Display（ＨＵＤ））装置４０は、ＨＣＵ１００から取得する表示制御情報に基づく画像の光を、ウインドシールド１３に規定された投影領域１４へ投影する。投影領域１４は、ウインドシールド１３のうちで運転席１７に着座する運転者の正面に規定されている。ＨＵＤ装置４０によって投影された画像の光は、投影領域１４にて車室内側に反射され、運転席１７に着座する運転者によって知覚される。運転者は、ＨＵＤ装置４０によって投影された画像の虚像５０を、車両Ａの前方の外界風景（前景）と重ねて視認可能となる。ＨＵＤ装置４０によって投影される画像は、前景の路面等と重畳され、所謂ＡＲ（Augmented Reality）表示を実現する。
【００２４】
ＨＣＵ１００は、メインプロセッサ、描画プロセッサ、ＲＡＭ、書き換え可能な不揮発性の記憶媒体、情報の入出力を行う入出力インターフェース、及びこれらを接続するバス等によって構成された制御回路６０を備えている。ＨＣＵ１００は、運転者への情報の提示と、運転者による操作入力の処理とを統合的に制御する電子制御ユニットである。ＨＣＵ１００は、記憶媒体に記憶された移譲制御プログラムをメインプロセッサ及び描画プロセッサによって実行することにより、意識喚起部６１、感覚回復部６２、及び表示制御部６３を機能部として構築する。これら機能部（６１〜６３）は、操舵操作の制御権について、自動運転機能から運転者への移譲を制御する。
【００２５】
意識喚起部６１は、操舵操作の制御権が自動運転機能から運転者へ移譲される前に、運転行為から離れていた運転者の意識を、運転行為へ引き戻すための意識喚起シーケンスを実行する。自動運転機能が作動している場合、ステアリングホイール１５は、車両前方への移動によってインスツルメントパネル１９側に引き寄せられている（図３Ａ参照）。意識喚起部６１は、意識喚起シーケンスにおいて、ステアリング制御情報によって引き込み動作アクチュエータ３１を制御することにより、ステアリングホイール１５を運転席１７に着座する運転者へ向けて、車両後方へ移動させる（図３Ｂ参照）。
【００２６】
そして意識喚起部６１は、運転席１７側へせり出したステアリングホイール１５を運転者が把持したことに基づき（図３Ｃ参照）、ステアリングホイール１５を再びインスツルメントパネル１９側へ引き戻させる（図３Ｄ参照）。引き戻される際のステアリングホイール１５の移動速度は、せり出される際のステアリングホイール１５の移動速度よりも、速くされている。ステアリングホイール１５は、運転者によって設定された設定位置、又はせり出し前の位置まで引き戻される。以上の動作により、ステアリングホイール１５を掴んでいる運転者の腕がインスツルメントパネル１９側へ引き込まれるため、運転者の運転行為への意識が喚起され得る。
【００２７】
感覚回復部６２は、意識喚起シーケンスの後、且つ運転者に制御権が移譲される前に、感覚回復シーケンスを実行する。感覚回復シーケンスは、運転者による模擬的な操舵操作を受け付けることにより、操舵操作に係る運転感覚を運転者に取り戻してもらうための行程である。感覚回復シーケンスは、操向連動切替部３３によってステアリングホイール１５と車両Ａの操向とが切り離された非連動状態で実施される。
【００２８】
感覚回復部６２は、ＤＳＭ１１から取得する運転者の運転姿勢に係る情報に基づき、運転者の運転姿勢が崩れているか否かを判定可能である。感覚回復部６２は、運転者の運転姿勢が崩れていないことを、ＤＳＭ１１からの情報に依拠して確認したうえで、感覚回復シーケンスを開始する。
【００２９】
加えて感覚回復部６２は、感覚回復シーケンスにおいて模擬的な操舵操作を受け付ける前に、操舵アクチュエータ３２を制御することにより、運転者によって把持されたステアリングホイール１５を、操舵操作の入力方向である左右方向に強制的に回転変位させる。このように、感覚回復シーケンスにてステアリングホイール１５に入力すべき模擬的な操舵操作の模範動作が、ＨＣＵ１００によって提示される。
【００３０】
表示制御部６３は、感覚回復部６２による感覚回復シーケンスにおいて、予測走行軌跡５１を表示させる。表示制御部６３は、ＨＵＤ装置４０へ向けて出力する表示制御情報によってＨＵＤ装置４０を制御することにより、車両Ａの前景に重ねられる虚像５０として、予測走行軌跡５１を表示させる。加えて図４に示すように、虚像５０として投影領域１４に表示される画像には、一対の区画線マーカ５２，５３が含まれている。
【００３１】
予測走行軌跡５１は、矢印状に形成された画像部である。予測走行軌跡５１は、ステアリングホイール１５への操舵操作の入力に対応して、上方に位置する端点（以下「先端」）の位置を左右へ変位させる。予測走行軌跡５１は、ステアリングホイール１５の回動と同期するように、先端側を湾曲させた矢印状に変形する（図５等参照）。予測走行軌跡５１の先端の左右への変位量は、ステアリングホイール１５に入力される操舵操作の操作量（以下、「操舵量」）と、車両Ａの走行速度とに基づいて決定され、具体的には操舵量及び走行速度に比例している。予測走行軌跡５１の先端は、現在の走行速度を維持して走行した場合に、所定秒数（例えば２秒）の経過後に車両Ａが到達する予想到達位置を示している。即ち、操舵量が大きくなるほど、予測走行軌跡５１の先端は、操舵操作に対応した方向へ大きく変位する。同様に、走行速度が高くなるほど、予測走行軌跡５１の先端は、操舵操作に対応した方向へ大きく変位する。以上のような表示態様の変化により、予測走行軌跡５１は、ステアリングホイール１５の操舵量と、車両Ａの横方向への動きとの関係を運転者に捉えさせる効果を発揮する。
【００３２】
各区画線マーカ５２，５３は、前景における車両両側の区画線に沿って帯状に延伸する画像である。各区画線マーカ５２，５３は、区画線に重ねて表示されるか、又は区画線の内側に重ねて表示される。各区画線マーカ５２，５３は通常、例えば水色等の表示色で表示される。
【００３３】
感覚回復部６２及び表示制御部６３は、感覚回復シーケンスにて、ステアリングホイール１５の回動に合わせて、予測走行軌跡５１の表示態様と、ステアリングホイール１５の操舵反力とを変化させることで、操舵操作に係る運転者の運転感覚を回復させる。以下、感覚回復シーケンスにおける模擬的な操舵操作と表示及び操舵反力との対応関係を、図５〜図７に基づいて、図１を参照しつつ説明する。
【００３４】
図５に示すように、ステアリングホイール１５の操舵量が後述する注意閾値よりも小さい場合、予測走行軌跡５１は、表示色を変化させることなく、各区画線マーカ５２，５３と同一の通常の表示色（例えば水色）を維持したまま、操舵方向へ先端を変位させる。操舵量が小さいため、予測走行軌跡５１に生じる表示変位角度も小さくなる。
【００３５】
加えて、操舵アクチュエータ３２は、ステアリングシャフトへのトルクの印加により、操向と非連動状態にあるステアリングホイール１５に、擬似的な操舵反力を発生させる。操舵量が注意閾値を下回っている場合、擬似的な操舵反力の大きさは、操向と連動状態にあるステアリングホイール１５に作用するであろう実際の操舵反力相当に設定される。
【００３６】
図６に示すように、ステアリングホイール１５の操舵量が注意閾値を超えると、予測走行軌跡５１は、各区画線マーカ５２，５３とは異なった注意色（例えば黄色）で表示される。予測走行軌跡５１は、表示色を変化させることにより、比較的過大な操舵操作が入力されていることを運転者に注意喚起する。注意閾値は、例えば予測走行軌跡５１の先端が左右いずれかの区画線マーカ５２，５３と接する程度の操作量に設定される。また、予測走行軌跡５１に生じる表示変位角度は、中程度となる。
【００３７】
加えて、ステアリングホイール１５に印加される擬似的な操舵反力は、操向と連動状態にあるステアリングホイール１５に作用するであろう実際の操舵反力に、運転者に注意を促すための注意増加分が加算された値に設定される。注意増加分の操舵反力は、比較的過大な操舵操作が入力されていることを、触覚を通じて運転者に注意喚起する。
【００３８】
図７に示すように、ステアリングホイール１５の操作量が警告閾値を超えると、予測走行軌跡５１は、上述の注意色と異なった警告色（例えばアンバー又は赤色）で表示される。警告閾値は、注意閾値と同様に運転感覚の未回復を示す閾値であって、注意閾値よりもさらに大きい値に設定されている。警告閾値は、例えば予測走行軌跡５１が左右いずれかの区画線マーカ５２，５３と交差する程度の操作量に設定される。予測走行軌跡５１は、表示色を変化させることにより、非常に過大な操舵操作が入力されていることを運転者に強く警告する。また、予測走行軌跡５１に生じる表示変位角度は、大きくなる。
【００３９】
加えて、ステアリングホイール１５に印加される擬似的な操舵反力は、操向と連動状態にあるステアリングホイール１５に作用するであろう実際の操舵反力に、運転者への警告のための警告増加分が加算された値に設定される。警告増加分の操舵反力は、注意増加分の操舵反力よりもさらに大きい値である。警告増加分の操舵反力は、操舵量を減少させる方向へ強く作用することにより、過大な操舵操作が入力されていることを、触覚を通じて運転者に警告する。
【００４０】
以上のような感覚回復シーケンスにおいて、感覚回復部６２及び表示制御部６３が行う感覚回復処理の詳細を、図８に基づき、図１を参照しつつ説明する。図８に示す感覚回復処理は、後述する移譲制御処理のＳ１０９（図１０参照）にて実施されるサブルーチンである。
【００４１】
Ｓ１１では、現在の車両Ａの走行速度を取得し、Ｓ１２に進む。Ｓ１２では、Ｓ１１にて取得した走行速度に基づき、注意閾値及び警告閾値を算出し、Ｓ１３に進む。Ｓ１２では、走行速度が高くなるほど、注意閾値及び警告閾値は、低い値に設定される。Ｓ１３では、ステアリングホイール１５の現在の操舵量及び操舵方向を取得し、Ｓ１４に進む。
【００４２】
Ｓ１４では、Ｓ１３にて取得した操舵量がＳ１２にて算出した警告閾値を超えているか否かを判定する。操舵量が警告閾値を超えている場合、Ｓ１６に進む。Ｓ１６では、Ｓ１３にて取得した操舵量及び操舵方向に対応した湾曲形状の予測走行軌跡５１を、警告色で表示させて、Ｓ１７に進む。Ｓ１７では、操舵アクチュエータ３２によって発生させる擬似的な操舵反力を、想定される実際の操舵反力に警告増加分を加えた値に設定し、Ｓ１１へ戻る。
【００４３】
一方、Ｓ１４にて、操舵量が警告閾値未満であった場合、Ｓ１５に進む。Ｓ１５では、Ｓ１３にて取得した操舵量がＳ１２にて算出した注意閾値を超えているか否かを判定する。操舵量が注意閾値を超えている場合、Ｓ１８に進む。Ｓ１８では、Ｓ１３にて取得した操舵量及び操舵方向に対応した湾曲形状の予測走行軌跡５１を、注意色で表示させて、Ｓ１９に進む。Ｓ１９では、操舵アクチュエータ３２によって発生させる擬似的な操舵反力を、想定される実際の操舵反力に注意増加分を加えた値に設定し、Ｓ１１へ戻る。
【００４４】
また、Ｓ１５にて、操舵量が注意閾値未満であった場合、Ｓ２０に進む。Ｓ２０では、Ｓ１３にて取得した操舵量及び操舵方向に対応した湾曲形状の予測走行軌跡５１を、通常の表示色で表示させて、Ｓ２１進む。Ｓ２１では、操舵アクチュエータ３２によって発生させる擬似的な操舵反力を、想定される実際の操舵反力相当に設定し、Ｓ１１へ戻る。
【００４５】
次に、ＨＣＵ１００によって実施される移譲制御処理の全体を、図９及び図１０に基づき、図１等を参照しつつ説明する。図９及び図１０に示す移譲制御処理は、例えば自動運転が可能な区間の終了地点に接近したことに基づき、ＨＣＵ１００によって開始される。
【００４６】
Ｓ１０１では、意識喚起シーケンスとして、運転席１７側へ向けてステアリングホイール１５を移動させる動作を開始し、Ｓ１０２に進む（図３Ａ及び図３Ｂ参照）。Ｓ１０２では、ステアリングホイール１５を運転者が把持したか否かを判定する（図３Ｃ参照）。Ｓ１０２にて、運転者がステアリングホイール１５を把持していないと判定した場合、Ｓ１０２の判定を繰り返すことにより、運転者がステアリングホイール１５を掴むのを待機する。
【００４７】
運転者がステアリングホイール１５を把持することなく、せり出しの終了時点から所定の待機時間が経過した場合、Ｓ１０３にて、タイムアウトと判定し、Ｓ１１５に進む。Ｓ１１５では、運転者への操舵操作の移譲が不可能であると推定し、退避場所を探索して車両Ａを停車させる自動退避制御へと移行させる。
【００４８】
一方、Ｓ１０２にて、運転者がステアリングホイール１５を把持したと判定した場合、Ｓ１０４に進む。Ｓ１０４では、運転者によって掴まれたステアリングホイール１５を、インスツルメントパネル１９側へ向けて引き戻す動作を開始し（図３Ｄ参照）し、Ｓ１０５に進む。
【００４９】
Ｓ１０５では、ＤＳＭ１１からの情報に基づき、運転者の運転姿勢が正常であるか否かを判定する。Ｓ１０５にて、運転姿勢の崩れがあると判定した場合、Ｓ１０７により、運転姿勢を回復させるための注意喚起が実施される。Ｓ１０７では、例えばステアリングホイール１５を前後に揺動させるといった動作等が実施される。Ｓ１０５による判定とＳ１０７による注意喚起とを繰り返しながら、運転者の運転姿勢の回復が待機される。
【００５０】
運転者の運転姿勢が回復することなく、ステアリングホイール１５の引き戻しの終了時点から所定の待機時間が経過した場合、Ｓ１０６にて、タイムアウトと判定し、Ｓ１１５に進む。Ｓ１１５では、自動退避制御への移行を実施する。
【００５１】
一方、Ｓ１０４にて、運転者の運転姿勢が正常な範囲内であると判定した場合、Ｓ１０８以降の感覚回復シーケンスに進む。Ｓ１０８では、運転者にステアリングホイール１５を握らせた状態で、実際の車両Ａの操向は行わずにステアリングホイール１５を能動的に左右へ回動させる模範動作を実施し、Ｓ１０９に進む。Ｓ１０８では、ステアリングホイール１５の回動と同期して、予測走行軌跡５１の先端が左右に変位する。
【００５２】
Ｓ１０９では、ステアリングホイール１５を左右へ転舵させる模擬的な操舵操作の受け付けを開始し、Ｓ１１０に進む。Ｓ１０９によれば、上述の感覚回復処理（図８参照）が開始される。所定時間、感覚回復処理を継続実施した後、Ｓ１１０へ進む。
【００５３】
Ｓ１１０では、感覚回復処理により運転者の運転感覚が回復したか否かを判定する。運転感覚の回復は、予測走行軌跡５１等の表示が消された状態で、非連動状態にあるステアリングホイール１５に運転者が入力する操舵操作の操舵量に基づき判定される。走行中の車線に沿って車両Ａを走行させられるような正しい操舵量が入力されている場合、運転者の運転感覚が回復したと判定する。一方で、運転者の運転感覚が回復していないと判定した場合、Ｓ１０９に戻り、予測走行軌跡５１を表示させた状態で、模擬的な操舵操作が再び受け付けられる。運転者の運転感覚が回復することなく、模擬的な操舵操作の受け付け開始時点から所定の待機時間が経過した場合、Ｓ１１１にて、タイムアウトと判定し、Ｓ１１５に進む。
【００５４】
一方、Ｓ１１０にて、運転者の運転感覚が回復したと判定した場合、Ｓ１１２に進む。Ｓ１１２では、移譲実行スイッチ１２への入力があったか否かを判定する。Ｓ１１２の判定を繰り返すことにより、移譲実行スイッチ１２への入力を待機する。移譲実行スイッチ１２への入力が行われず、運転感覚が回復した旨の判定から所定の経過時間が経過した場合、Ｓ１１３にて、タイムアウトと判定し、Ｓ１１５に進む。一方で、Ｓ１１２にて、移譲実行スイッチ１２への入力があったと判定すると、Ｓ１１４に進む。
【００５５】
Ｓ１１４では、操舵操作の制御権を、自動運転機能部２１から運転者へ移譲する制御が実行される。Ｓ１１４の処理に基づき、ステアリングホイール１５は、車両Ａの操向と連動した連動状態へと切り替えられる。
【００５６】
ここまで説明した第一実施形態の意識喚起シーケンスでは、運転者へ向けて移動されたステアリングホイール１５が、運転者によって把持されたことに基づき、引き戻される。こうしたステアリングホイール１５の動きは、例えば相手に近づいて手を引くような人同士のコミュニケーション動作のアナロジーとして、運転者の注意を車両Ａへ向けさせることができる。そのため、運転者の運転行為に対する意識を高い確実性をもって喚起し得る。故に、意識喚起シーケンスの後に行われる感覚回復シーケンスにて受け付けられる模擬的な操舵操作を、運転者は、運転行為に対して高い意識を持った状態で行うようになる。その結果、車両Ａの走行環境を捉えて操舵操作を行う感覚を運転者が取り戻した状態で、ＨＣＵ１００は、自動運転機能から運転者へと、操舵操作の制御権を移譲させることが可能になる。
【００５７】
さらに、運転者の腕を引き込むような身体動作は、運転者の言語や文化的な背景に依存しないため、意識を喚起させる効果は、国及び地域に係わらず発揮可能となる。加えて、音声又は表示による言語を用いた呼びかけや単純なインジケータによる表示とは異なり、ステアリングホイール１５を動かす意識喚起は、運転者の馴化を抑制することができる。
【００５８】
ここで、操舵操作の制御権の移譲は、実際には走行中の道路が直線に近いような状況であって、大きな操舵操作が不要なシーンにおいて実施される。こうしたシーンにおいても、操舵操作と同期した予測走行軌跡５１が表示されれば、現在の走行速度及び操舵量と車両Ａの動きとの関係を、模擬的な操舵操作を行っている運転者にフィードバックすることが可能になる。以上によれば、制御権の移譲が行われる道路の形状に関係なく、運転者は、入力した操舵操作に対して車両Ａが左右へ動く移動量を、予測走行軌跡５１の形状変化から把握し得る。以上のように、予測走行軌跡５１を用いたＡＲ表示は、確実な運転感覚の回復に貢献できる。
【００５９】
加えて第一実施形態の予測走行軌跡５１は、車両Ａが所定秒後に到達する予想到達位置を先端によって示すことができる。さらに、ＨＵＤ装置４０を用いた予測走行軌跡５１の表示により、予想到達位置は、前景上にて明示される。故に、運転者は、入力した操舵操作に対して、車両Ａが向かうであろう方向を容易に把握できる。よって、迅速な運転感覚の回復が可能になる。
【００６０】
また第一実施形態では、運転者の運転姿勢が崩れていない場合に、感覚回復シーケンスが開始される。故に、運転に対する意識が低いまま模擬的な操舵操作の受け付けが開始されてしまう事態は、確実に防止される。
【００６１】
さらに第一実施形態では、模擬的な操舵操作が受け付ける前に、運転者に把持されたステアリングホイール１５が強制的に左右に回動される。このように、運転者にやってほしい動作がシステム側から提示されれば、行動を誘導された運転者は、行うべき動作を素早く理解し、模擬的な操舵操作の入力を円滑に開始することが可能になる。
【００６２】
加えて第一実施形態では、運転感覚の未回復を示す注意閾値及び警告閾値を超えた操舵量の入力が有った場合、表示色の変化及び操舵反力の増大によって、過大な操舵操作が注意喚起される。以上のように、入力した操舵量の誤りが分かり易くフィードバックされれば、運転者は、迅速に操舵量を調整し、運転感覚を円滑に回復させられるようになる。
【００６３】
尚、第一実施形態では、ステアリングホイール１５が「操舵部」に相当し、ＨＣＵ１００が「移譲制御装置」に相当し、注意閾値及び警告閾値がそれぞれ「閾値」に相当する。
【００６４】
（第二実施形態）
図１１及び図１２に示すフローチャートは、第二実施形態における移譲制御処理を示している。第二実施形態の移譲制御処理において、Ｓ２０１〜Ｓ２０７及びＳ２１２〜Ｓ２１６は、第一実施形態のＳ１０１〜Ｓ１０７及びＳ１１１〜Ｓ１１５（図９及び図１０参照）と実質的に同一である。
【００６５】
Ｓ２０８では、Ｓ２０９にて行われる模範動作について、スキップ条件が成立しているか否かを判定する。Ｓ２０８にて、スキップ条件が成立していると判定した場合、Ｓ２０９をスキップして、Ｓ２１０に進む。一方で、Ｓ２０８にて、スキップ条件が成立していないと判定した場合、Ｓ２０９に進み、第一実施形態と同様にステアリングホイール１５を僅かに左右に回動させる模範動作を実施する。
【００６６】
スキップ条件は、現在の運転者が操舵操作に係る制御権の移譲を経験しており、Ｓ２１０における操舵操作の受け付けを知っている場合に成立するよう、予め設定されている。具体的には、ＤＳＭ１１によって運転者が識別され、以前に模擬的な操舵操を入力したことのある運転者が現在運転している場合に、スキップ条件は成立する。
【００６７】
Ｓ２１０では、予測走行軌跡５１（図４参照）を表示させることなく、模擬的な操舵操作が受け付けられる。即ち、運転者は、走行中の車線に沿って走行するような模擬的な操舵操作を入力する。そしてＳ２１１では、Ｓ２１０にて入力された操舵量が、走行中の車線に沿って車両Ａを走行させられるような正しい操舵量であるか否かに基づき、運転感覚の回復を判定する。
【００６８】
ここまで説明した第二実施形態でも、第一実施形態と同様の効果を奏し、車両Ａの走行環境を捉えて操舵操作を行う感覚を運転者が取り戻した状態で、自動運転機能から運転者へと操舵操作の制御権の移譲が可能になる。加えて、模擬動作のスキップが可能とされることにより、制御権の移譲の度に繰り返される模範動作の提示を運転者が煩わしく感じてしまう事態は、回避される。
【００６９】
（他の実施形態）
以上、複数の実施形態について説明したが、本開示は、上記実施形態に限定して解釈されるものではなく、本開示の要旨を逸脱しない範囲内において種々の実施形態及び組み合わせに適用することができる。
【００７０】
上記実施形態における移譲制御装置の機能は、ＨＣＵ１００とは異なる構成によって実現されてもよい。例えば図１３に示す変形例１では、車両制御装置３００及び表示制御装置３６３が協働で移譲制御装置の機能を果たす。具体的に、変形例１では、制御回路にて移譲制御プログラムを実行する車両制御装置３００が、第一実施形態と実質同一の意識喚起部６１及び感覚回復部６２を機能ブロックとして構築する。加えて、表示制御装置３６３は、第一実施形態の表示制御部６３（図１参照）と実質同一の機能を果たすことができる。
【００７１】
上記実施形態における感覚回復シーケンスでは、２秒後の予想到達位置が明示されていた。しかし、予測走行軌跡によって明示される予想到達位置は、２秒後に限定されない。さらに予測走行軌跡とは異なった態様の表示により、予想到達位置が明示されてもよい。
【００７２】
上記実施形態では、ＨＵＤ装置４０を用いることにより、予測走行軌跡が虚像表示されていた。ＨＵＤ装置は、ウインドシールド１３ではなく、運転者の前方に設けられた投影板（コンバイナ）に画像の光を投射する構成であってもよい。さらに、予測走行軌跡を表示する表示器は、ＨＵＤ装置に限定されない。例えば、インスツルメントパネル１９の中央に設けられたセンターディスプレイや、運転席の正面に設けられたコンビネーションメータの液晶表示パネル等が、予測走行軌跡を表示してもよい。
【００７３】
上記実施形態では、予測走行軌跡の先端（上端）部分は、矢印状に形成されていたが、予測走行軌跡の端点の形状は、車両の到達位置であることを運転者が認識できる形状であれば、矢印状に限定されない。例えば、予測走行軌跡の上端は、真円形状、楕円形状、及びひし形状によって端点を強調する形状であってもよい。
【００７４】
上記実施形態では、意識喚起シーケンスと感覚回復シーケンスとの間に、運転者の姿勢崩れを確認するステップが設けられていた。このような運転姿勢の確認は、ＤＳＭ１１の検出結果を用いることなく、例えば運転席の座面における圧力分布に基づいて、判定されてもよいさらに、運転姿勢を確認するステップは、省略されてもよい。
【００７５】
上記実施形態では、運転者の運転感覚の回復を確認するステップが設けられていたが、こうした確認ステップは、省略されてもよい。さらに、ステアリングホイール１５を能動的に回動させる模範動作に替えて、表示又は音声を用いた動作の教示が実施されてもよい。
【００７６】
上記実施形態では、表示態様の変化と操舵反力とを組み合わせることにより、過大な操舵操作の入力が注意喚起されていた。しかし、表示のみ又は操舵反力のみで、過大な操舵操作の入力が警告されてもよい。さらに、過大な操舵操作の入力が音声によって警告されてもよい。
【符号の説明】
【００７７】
Ａ  車両、１５  ステアリングホイール（操舵部）、４０  ＨＵＤ（ヘッドアップディスプレイ）装置、５０  虚像、５１  予測走行軌跡、６１  意識喚起部、６２  感覚回復部、６３  表示制御部、３６３  表示制御装置（表示制御部，移譲制御装置）、１００  ＨＣＵ（移譲制御装置）、３００  車両制御装置（移譲制御装置）
【図１】
0006620564.tif 000002
【図２】
0006620564.tif 000003
【図３】
0006620564.tif 000004
【図４】
0006620564.tif 000005
【図５】
0006620564.tif 000006
【図６】
0006620564.tif 000007
【図７】
0006620564.tif 000008
【図８】
0006620564.tif 000009
【図９】
0006620564.tif 000010
【図１０】
0006620564.tif 000011
【図１１】
0006620564.tif 000012
【図１２】
0006620564.tif 000013
【図１３】
0006620564.tif 000014